(57)【特許請求の範囲】
【請求項１】
洗浄装置及び／又は滅菌装置を含む医療用機器を複数台連設するシステムであって、
複数台の医療用機器は、同じ方向に正面を向け、且つ互いに隙間をあけて設置し、
医療用機器の間の隙間には、各医療用機器の正面とほぼ同一面となるように正面パネルが設けられ、
前記正面パネルは、隣接する医療用機器のいずれか一方又は双方と電気的に接続され、いずれか一方又は双方の医療用機器の進捗状況を表示する表示部を有することを特徴とする医療用機器連設システム。
【請求項２】
前記正面パネルは、隣接する医療用機器のいずれか一方とヒンジ装置によって取り付けられて開閉可能に設けられていることを特徴とする請求項１記載の医療用機器連設システム。
【請求項３】
医療用機器の間の隙間には、各医療用機器の背面とほぼ同一面となるように背面パネルを設けることを特徴とする請求項１又は請求項２記載の医療用機器連設システム。
【請求項４】
前記背面パネルは、隣接する医療用機器のいずれか一方又は双方と電気的に接続され、
いずれか一方又は双方の医療用機器の進捗状況を表示する表示部を有することを特徴とする請求項３記載の医療用機器連設システム。
【請求項５】
前記背面パネルは、隣接する医療用機器のいずれか一方とヒンジ装置によって取り付けられて開閉可能に設けられていることを特徴とする請求項３または請求項４記載の医療用機器連設システム。
【発明の詳細な説明】
【技術分野】
【０００１】
本発明は、滅菌装置や洗浄装置などの医療用機器を複数台並べて連接したシステムに関する。
【背景技術】
【０００２】
病院等においては、手術や医療現場で用いられるメスや鋏等の医療用器材を効率良く確実に洗浄するための洗浄装置が必要である。
例えば、特許文献１の洗浄装置では、ジェット洗浄を施すとともに、洗浄液に貯留された器材を超音波発振器によって超音波洗浄し、加熱ヒータによって加熱された空気を洗浄後の器材に送風して器材を乾燥させることが開示されている。
【０００３】
また、病院等においては、治療用の包帯、メス、鉗子、手術着等の滅菌が必要な被滅菌物を滅菌処理する必要がある。このような被滅菌物の滅菌には、被滅菌物を収容する圧力容器を有する蒸気滅菌装置が用いられることが多い。
例えば、特許文献２のような蒸気滅菌装置では、圧力容器内に飽和水蒸気を導入して加圧・加熱し、所定の圧力及び温度を一定時間保持することにより被滅菌物を滅菌するように動作する。
【先行技術文献】
【特許文献】
【０００４】
【特許文献１】特許第４７９２３７４号公報
【特許文献２】特開２０００−１９９４９０号公報
【発明の概要】
【発明が解決しようとする課題】
【０００５】
大規模な病院では、洗浄すべき医療用器材が大量に出る。このため、１台の洗浄装置だけではなく複数台の洗浄装置を用いることが一般的である。
滅菌装置についても同様であり、大量の被滅菌物が出るために、複数台の滅菌装置を用いることがある。
【０００６】
ところで、洗浄装置や滅菌装置においては側面からメンテナンス等を行うことがあるため、複数台設置する場合には各装置の側面どうしを密着させて設置させるのではなく、隣り合う装置どうしの間には隙間をあけることが必要な場合もある。
しかし、複数台の装置を隙間をあけて設置すると、通常時は必要ない装置間の隙間が生じてしまうので見た目によくないという課題がある。
【０００７】
そこで、本発明は上記課題を解決すべくなされ、その目的とするところは、洗浄装置または滅菌装置などの医療用機器を複数設置する場合において、見た目よく設置できる連設システムを提供することにある。
【課題を解決するための手段】
【０００８】
本発明にかかる医療用機器連設システムによれば、洗浄装置及び／又は滅菌装置を含む医療用機器を複数台連設するシステムであって、複数台の医療用機器は、同じ方向に正面を向け、且つ互いに隙間をあけて設置し、医療用機器の間の隙間には、各医療用機器の正面とほぼ同一面となるように正面パネルが設けられ、前記正面パネルは、隣接する医療用機器のいずれか一方又は双方と電気的に接続され、いずれか一方又は双方の医療用機器の進捗状況を表示する表示部を有することを特徴としている。
この構成を採用することによって、複数の医療用機器を間隔をあけて設置する場合であっても、正面パネルによって医療用機器同士の間隔が閉塞されるので、見た目によいシステムとすることができる。
また、この構成によれば、医療用機器の洗浄工程又は滅菌工程の進捗状況を容易に確認することができる。また、医療用機器間の隙間が生じることによって設置場所におけるスペース効率も悪くなるが、この隙間を有効に利用して医療用機器の見易さを追及することができる。
【００１０】
また、前記正面パネルは、隣接する医療用機器のいずれか一方とヒンジ装置によって取り付けられて開閉可能に設けられていることを特徴としてもよい。
この構成によれば、医療用機器を側面からメンテナンスする必要があるときには、正面パネルを開いて医療用機器の側面を操作することができる。
【００１１】
また、医療用機器の間の隙間には、各医療用機器の背面とほぼ同一面となるように背面パネルを設けることを特徴としてもよい。
この構成を採用することによって、例えば医療用機器の背面を部屋の壁面に当接させて配置させない場合であっても、背面側からの医療用機器同士の間隔が閉塞されるので、見た目によいシステムとすることができる。すなわち、医療用機器としては、正面と背面の両方から医療用器材を出し入れ可能な両面タイプの機器もあり、このような機器を設置する場合には、正面と背面が両方使用できるように部屋内に設置するからである。
【００１２】
また、前記背面パネルは、隣接する医療用機器のいずれか一方又は双方と電気的に接続され、いずれか一方又は双方の医療用機器の進捗状況を表示する表示部を有することを特徴としてもよい。
この構成によれば、医療用機器の洗浄工程又は滅菌工程の進捗状況を、背面側からも容易に確認することができる。
【００１３】
また、前記背面パネルは、隣接する医療用機器のいずれか一方とヒンジ装置によって取り付けられて開閉可能に設けられていることを特徴としてもよい。
この構成によれば、医療用機器を側面からメンテナンスする必要があるときには、背面パネルを開いて背面側からも医療用機器の側面を操作することができる。
【発明の効果】
【００１４】
本発明の医療用機器連設システムによれば、洗浄装置または滅菌装置などの医療用機器を複数設置する場合において、見た目よく設置できる。
【図面の簡単な説明】
【００１５】
【図１】本発明に係る医療用機器連設システムの全体構成を示す斜視図である。
【図２】医療機器連設システムの正面図である。
【図３】医療機器連接システムの背面図である。
【図４】１台の洗浄装置と１台の正面パネルを示す正面図である。
【図５】正面パネルの構造を示す正面図である。
【図６】正面パネルの表示部における断面図である。
【図７】正面パネルの表示部よりも下方における断面図である。
【図８】正面パネルの表示部の端部における断面図である。
【図９】医療用機器連設システムの電気的接続構成を示す説明図である。
【図１０】背面パネルの構造を示す正面図である。
【図１１】背面パネルの表示部における断面図である。
【図１２】背面パネルの表示部よりも下方における断面図である。
【図１３】背面パネルの表示部の端部における断面図である。
【発明を実施するための形態】
【００１６】
本実施形態では、医療用機器の例として医療用器材を洗浄する洗浄装置を横方向に７台設置する例について説明する。
図１は本実施形態にかかる医療用機器連設システムの全体構成を示す斜視図であり、図２は正面図であり、図３は背面図である。また、図４は医療用機器連設システムにおける個別の洗浄装置と正面パネルの正面図である。
【００１７】
各洗浄装置１０は、内部に洗浄槽と乾燥槽を兼ねた１つの槽が設けられており、槽の正面及び背面にはそれぞれ開閉扉１２が設けられている。すなわち、本実施形態における各洗浄装置は、正面及び背面の双方に開閉扉１２が設けられており、正面及び背面の双方から医療用器材の出し入れが可能となっている。
【００１８】
各洗浄装置１０の正面には操作パネル１４が設けられている。操作パネル１４は、タッチパネルによって構成されており、作業者が操作することによって、洗浄内容を設定することができる。また、操作パネル１４は、設定内容や現在の洗浄状況などを表示することもできる。
本実施形態における洗浄装置１０は、上記のように背面側にも開閉扉１２を設けている。さらに背面側には小型の操作パネル１５が設けられており、背面側の開閉扉１２の操作や、洗浄状況、異常状況などを表示させることができる。
【００１９】
各洗浄装置１０は、隣り合う洗浄装置との間に所定間隔の隙間をあけて設置されている。本実施形態では、例えば５０〜６０ｃｍ程度の隙間をあけている。そして、この隙間を閉塞するように、正面側には正面パネル１６が設けられ、背面側には背面パネル１８が設けられている。
【００２０】
なお、本実施形態では、複数台並列して設置された洗浄装置のうち、左端の洗浄装置１０の左側には正面パネル１６は設けられておらず、右端の洗浄装置１０の右側には正面パネル１６が設けられている。すなわち、各洗浄装置１０の右側には必ず正面パネル１６が設けられていることとなる。
左端の洗浄装置１０の左側側面は、設置されている部屋の壁面に当接又は近接されていてもよいし、設置されている部屋の壁面と所定の距離をあけて配置されていてもよい。
また、右端の洗浄装置１０の右側に設けられている正面パネル１６は、洗浄装置１０と洗浄装置１０との間に配置されるのではなく、右端の洗浄装置１０と部屋の壁面との間を閉塞するように配置されている。
【００２１】
以下、正面パネルの構成について図５〜図８に基づいて説明する。
図５は正面パネルの正面図であり、図６は正面パネルの表示部における断面図であり、図７は正面パネルの表示部より下方における断面図であり、図８は図５における表示部の端部の拡大図である。
【００２２】
正面パネル１６は、各洗浄装置１０間の隙間を閉塞するように配置されている。したがって、正面パネル１６の幅は各洗浄装置１０間の隙間とほぼ同一の幅であり、正面パネル１６の高さは各洗浄装置１０の高さとほぼ同一である。
【００２３】
正面パネル１６のほぼ中央には、表示部２０が設けられている。表示部２０は、縦長の長方形状であり、内部に発光装置が設けられている。表示部２０の表面は半透明の板材で形成されており、発光装置が発光することによって、板材が所定の色に発光する。
本実施形態の表示部２０の上下方向の長さは、洗浄装置１０の開閉扉１２の上下方向の長さとほぼ同一の長さか、またはそれよりも長く形成されている。
【００２４】
正面パネル１６は、表示部２０以外の箇所は1枚のステンレス板１７で形成されている。
ステンレス板１７の左右両端部には、補強のために上下方向に伸びる角パイプ１９が取り付けられている。角パイプ１９の内側には、Ｌ字状のアングル２１の一辺２１ａが固定されている。各アングル２１の他辺２１ｂは、それぞれ外側を向いており、正面パネル１６の両側に位置する洗浄装置１０の側面に固定される。
【００２５】
表示部２０の表面の半透明の板材としては、具体的には導光板２２を採用しており、導光板の側面に向けて発光装置の一例としてのＬＥＤ２４が配置されている。
導光板２２は、側面から導入されたＬＥＤ２４の光を表面に均一となるように分散させて、表面を光らせる。
【００２６】
図８に示すように、導光板２２の端部は、平面視コの字状の保持部材２５内に配置されており、保持部材２５内にＬＥＤ２４が導光板２２の端部を向いて配置されている。また、保持部材２５と角パイプ１９は、ステンレス板１７の端部を四角形状に折り曲げたコーナー部１７ａ内に配置されている。
【００２７】
本実施形態では、正面パネル１６の上部は開閉しない固定部３１として設け、固定部３１より下方（表示部２０を含む部位）を開閉可能な開閉部３３として設けている。
各正面パネル１６の開閉部３３の左右いずれかの端部には、ヒンジ装置３０が設けられている。本実施形態では、ヒンジ装置３０は、開閉部３３の左側上部と固定部３１の下端部との間、及び開閉部３３の左側下部と左側の洗浄装置１０との間に取り付けられている。
【００２８】
このように、正面パネル１６の開閉部３３にヒンジ装置３０を設けたことにより、開閉部３３は、そのヒンジ装置３０を有する左端を中心に回動して右側から開閉することができる。正面パネル１６の開閉部３３が開閉可能となることによって、作業者は洗浄装置１０と洗浄装置１０との間、または右端の正面パネル１６の場合には右端の洗浄装置１０の右側に入ることができる。このため、洗浄装置１０を側面からメンテナンスする必要があるときには、正面パネル１６の開閉部３３を開いて洗浄装置１０の側面を操作することができる。
【００２９】
また、正面パネル１６の開閉部３３が勝手に開かないようにロック装置３６を設けるとよい。
ロック装置３６は、キー付きのものであってもキー無しのものであってもよいが、キー付きのロック装置３６を採用すれば、所定の作業者でなければ開閉できないので好ましい。
ロック装置３６は、つまみ又はキーによって回動する止め金３８を有している。止め金３８は、正面パネル１６右側の洗浄装置１０に固定されたアングル２１の一辺２１ａの内側位置と、アングル２１の一辺２１ａの内側から離れた位置との間で回動可能である。止め金３８がアングル２１の一辺２１ａの内側に当接した位置では、正面パネル１６はロックされて開くことはできない。
【００３０】
また、本実施形態では、ロック装置３６は固定部３１にも設けられている。固定部３１に設けられているロック装置３６は、止め金３８が正面パネル１６の開閉部３３の上部内側位置と、開閉部３３の上部内側から離れた位置との間で回動可能である。止め金３８が開閉部３３の上部内側に当接した位置では、開閉部３３はロックされて開くことはできない。
なお、ロック装置３６はこのように２か所に設けなくてもよく、１か所に設けるだけであってもよい。
【００３１】
また、正面パネル１６には、複数の換気孔３２を形成するとよい。このように換気孔３２を構成することによって、洗浄装置１０からの排熱等を、洗浄装置１０どうしの間から排出することができる。
本実施形態では、固定部３１に換気孔３２を形成している。
【００３２】
また、正面パネル１６のＬＥＤ２４は、正面から見て左側の洗浄装置１０と電気的に接続され、正面パネル１６の表示部２０では正面パネル１６の左側に位置する洗浄装置１０の動作に合わせて点灯するように設けられている。
具体的には、図９に示すように、洗浄装置１０の動作制御を実行する制御部２６から、信号線２８が正面パネル１６のＬＥＤ２４に接続されている。洗浄装置１０の制御部２６は、洗浄動作実行中はＬＥＤ２４に対してＬＥＤ２４を点灯させる信号を出力する。洗浄装置１０の制御部２６は、洗浄動作を実行していないときはＬＥＤ２４に対してＬＥＤ２４を点灯させる信号を出力しない。このため、正面パネル１６の表示部２０は、正面から見て左側の洗浄装置１０が洗浄中であれば点灯し、洗浄していないときは消灯している。
【００３３】
一般的に、洗浄装置１０自体の表示部は、ごく小さいものであるので表示部に近づいて確認しないと洗浄中か否かを確認できない。しかし、本実施形態では、正面パネル１６の表示部２０の上下方向の長さは上述したように洗浄装置１０の開閉扉１２の上下方向とほぼ同じ長さでおり、非常に目立つものである。このため、正面パネル１６の表示部２０が点灯することにより、洗浄装置１０における洗浄中か否かの識別を作業者は容易に行うことができる。
【００３４】
なお、正面パネル１６における表示部２０の点灯色は、各正面パネルごとに異なる色となるように構成するとよい。
本実施形態では７つの正面パネル１６を備えているが、例えば、表示部２０の点灯色を左から、黄、赤、緑、青、橙、紫、水色とそれぞれ別の色で点灯するようにしてもよい。
【００３５】
また、各洗浄装置１０においても、正面パネル１６の表示部２０の色と同じ色の目印をつけておくとよい。
例えば、各洗浄装置１０の上部及び／又は下部に、それぞれの右側の正面パネル１６の表示部２０の点灯色と同じ色のラインを目印４０としてつけるとよい（図４参照）。
このように構成することで、表示部４４の点灯色を見れば複数の洗浄装置のうちのいずれが動作中であるかを一目で認識することが可能である。
【００３６】
続いて、背面側の背面パネルの構造について説明する。
図１０は背面パネルの正面図であり、図１１は背面パネルの表示部における断面図であり、図１２は背面パネルの表示部より下方における断面図である。図１３は、図１１における表示部の端部の拡大図である。
【００３７】
背面パネル１８は、各洗浄装置１０間の背面側の隙間を閉塞するように配置されている。したがって、背面パネル１８の幅と上下方向の長さは、正面パネル１６の幅と上下方向の長さと同一である。
【００３８】
背面パネル１８のほぼ中央には、表示部４４が設けられている。表示部４４は、縦長の長方形状であり、内部に発光装置が設けられている。表示部４４の表面は半透明の板材で形成されており、発光装置が発光することによって、板材が所定の色に発光する。
本実施形態の表示部４４の上下方向の長さは、洗浄装置１０の背面側の開閉扉１２の上下方向の長さとほぼ同一の長さか、またはそれよりも長く形成されている。
【００３９】
背面パネル１８は、表示部４４以外の箇所は1枚のステンレス板４５で形成されている。
ステンレス板４５の左右両端部には、補強のために上下方向に伸びる角パイプ４６が取り付けられている。角パイプ４６の内側には、Ｌ字状のアングル４８の一辺４８ａが固定されている。各アングル４８の他辺４８ｂは、それぞれ外側を向いており、背面パネル１８の両側に位置する洗浄装置１０の側面に固定される。
【００４０】
表示部４４の表面の半透明の板材としては、具体的には導光板５０を採用しており、導光板の側面に向けて発光装置の一例としてのＬＥＤ２４が配置されている。
導光板５０は、側面から導入されたＬＥＤ２４の光を表面に均一となるように分散させて、表面を光らせる。
【００４１】
図１３に示すように、導光板５０の端部は、平面視コの字状の保持部材５５内に配置されており、保持部材５５内にＬＥＤ２４が導光板５０の端部を向いて配置されている。また、保持部材５５と角パイプ４６は、ステンレス板４５の端部を四角形状に折り曲げたコーナー部４５ａ内に配置されている。
【００４２】
本実施形態では、背面パネル１８は開閉せず、洗浄装置１０どうしの間または、洗浄装置１０と部屋の壁面との間で固定されている。したがって、背面パネル１８にはヒンジ装置などの構成は設けられていない。
【００４３】
本実施形態では、正面パネル１６と同様に、背面パネル１８の上部４９と、表示部４４が形成されている部位とが別部材となっているが、背面パネル１８の上部４９も表示部４４が形成されている部位の双方とも開閉せずに固定されている。
【００４４】
また、背面パネル１８にも複数の換気孔５２が形成されている。正面パネル１６では、換気孔３２は上部に設けられていたが、背面パネル１８では下部に換気孔５２を設けている。このように構成すると、正面側と背面側との間で上下方向に空気を流通させることができる。
【００４５】
なお、背面パネル１８における表示部４４の点灯色は、各背面パネルごとに異なる色となるように構成するとよい。背面パネル１８の点灯色は、対応する正面パネルと同じ色にするとなおよい。例えば、背面から見て表示部４４の点灯色を右から、黄、赤、緑、青、橙、紫、水色とそれぞれ別の色で点灯するようにしてもよい。
【００４６】
また、各洗浄装置１０の背面側にも、背面パネル１８の表示部４４の色と同じ色の目印をつけておくとよい。
例えば、各洗浄装置１０の上部及び／又は下部に、それぞれの左側の背面パネル１８の表示部４４の点灯色と同じ色のラインを目印としてつけるとよい。
これら背面側の色は対応する正面側の色と同じ色であるとよい。
【００４７】
上述してきた実施形態では、洗浄装置を正面及び背面の双方に開閉扉１２が設けられているものであって、正面及び背面の双方にパネルを設けた構成について説明してきた。しかし、背面側には開閉扉が設けられていない洗浄装置であって、正面側にのみパネルが設けられ、背面側は壁面に接するように配置されていてもよい。
【００４８】
また、上述してきた実施形態では、複数の洗浄装置を横に並べて設置するシステムについて説明したが、洗浄装置ではなく複数の滅菌装置を横に並べて設置するシステムであってもよい。
さらに、１又は複数の洗浄装置と、１又は複数の滅菌装置とを混在させて横に並べて設置するシステムであってもよい。
また、本実施形態では７台の洗浄装置を連設するシステムについて説明したが、連設数はこれに限られることなく、２台以上の数であればよい。
【符号の説明】
【００４９】
１０  洗浄装置
１２  開閉扉
１４  操作パネル
１５  小型の操作パネル
１６  正面パネル
１７  ステンレス板
１７ａ  コーナー部
１８  背面パネル
１９  角パイプ
２０  表示部
２１  アングル
２１ａ  一辺
２１ｂ  他辺
２２  導光板
２５  保持部材
２６  制御部
２８  信号線
３０  ヒンジ装置
３１  固定部
３２  換気孔
３３  開閉部
３６  ロック装置
３８  止め金
４０  目印
４４  表示部
４５  ステンレス板
４５ａ  コーナー部
４６  角パイプ
４８  アングル
４８ａ  一辺
４８ｂ  他辺
４９  上部
５０  導光板
５２  換気孔
５５  保持部材
【図１】
0006335699.tif 000002
【図２】
0006335699.tif 000003
【図３】
0006335699.tif 000004
【図４】
0006335699.tif 000005
【図５】
0006335699.tif 000006
【図６】
0006335699.tif 000007
【図７】
0006335699.tif 000008
【図８】
0006335699.tif 000009
【図９】
0006335699.tif 000010
【図１０】
0006335699.tif 000011
【図１１】
0006335699.tif 000012
【図１２】
0006335699.tif 000013
【図１３】
0006335699.tif 000014